(57)【特許請求の範囲】
【請求項１】
室内循環式または同時給排式のレンジフードを備えたキッチン構造において、
調理台の上方に、前面開口部と下面開口部を有する箱状の吊戸棚本体と、この吊戸棚本体の前記前面開口部を開閉する扉とを有する吊戸棚が設けられ、
前記吊戸棚本体内に、前記レンジフードがその下面に設けられた吸気口を前記下面開口部に向け、かつ、前面を前記扉から内側に離間させて装填され、
前記吊戸棚本体の上面に、前記レンジフードの前面に設けられた排気口から排気される清浄化された空気または外部の空気を室内に給気する給気口が設けられていることを特徴とするキッチン構造。
【請求項２】
請求項１に記載のキッチン構造において、
前記給気口は前記吊戸棚本体の天板の前縁部を、前記扉の上端縁部より後退させることによって形成されていることを特徴とするキッチン構造。
【請求項３】
請求項１または２に記載のキッチン構造において、
前記レンジフードの前面に設けられた排気口は、清浄化された空気または外部の空気を上方または斜め上方に向けて吹出させる吹出手段を備えていることを特徴とするキッチン構造。
【請求項４】
請求項１〜３のいずれか一項に記載のキッチン構造において、
前記レンジフードの下面は、閉じた状態の前記扉の下端より上方に位置していることを特徴とするキッチン構造。
【請求項５】
請求項１〜４のいずれか一項に記載のキッチン構造において、
前記吊戸棚は、前記レンジフードが装填された吊戸棚本体と、他の一つ以上の吊戸棚本体とを左右に並設した構成となっており、
前記レンジフードが装填された吊戸棚本体の前面開口部を開閉する扉と、前記他の一つ以上の吊戸棚本体の前面開口部を開閉する扉とは、閉じた状態において面一となっていることを特徴とするキッチン構造。
【発明の詳細な説明】
【技術分野】
【０００１】
本発明は、室内循環式または同時給排式のレンジフードを備えたキッチン構造に関する。
【背景技術】
【０００２】
室内循環式のレンジフードの一例として特許文献１に記載のものが知られている。この室内循環式のレンジフードは、調理時に発生する汚染空気を吸引捕獲する吸込み口から前記室内への吹出し口に至る循環風路におけるグリスフィルタの下流側に、煙除去フィルタ、脱臭フィルタをそれぞれ備え、前記煙除去フィルタは、前記循環風路の前記汚染空気の流れ方向に対して交差する断面の一部または略半分側に位置して配され、かつ、その上流側に配されるフィルタ開閉機構によって開閉可能と成して、煙が含まれている汚染空気が通過するときに開口されるように構成されているものである。
このような室内循環式レンジフードは、調理台のコンロ上に配置され、キッチンを構成する壁に直接固定されている。
【０００３】
また、同時給排式のレンジフードの一例として特許文献２に記載のものが知られている。この同時給排式のレンジフードは、台所の加熱調理器具の上方に設置され、調理により発生する油煙等を捕集するためのフード部と、捕集した油煙等を吸引排気する送風機と、フード部の一部に、屋外に連通する給気ダクトが接続される給気経路と、該給気経路を介して前記加熱調理器具が設置された室内と連通する給気口を前記フード部の一部に設けた同時給排式レンジフードにおいて、前記給気口から吹き出す給気流の方向を、台所を区画する壁面以外の方向とする制御手段を前記給気口より上流側の給気経路に設けたものである。
このような同時給排式のレンジフードも、調理台のコンロ上に配置され、キッチンを構成する壁に直接固定されている。
【先行技術文献】
【特許文献】
【０００４】
【特許文献１】特開２０１１−１１２２５１号公報
【特許文献２】特開２００７−９３１３１号公報
【発明の概要】
【発明が解決しようとする課題】
【０００５】
上記のように、従来はキッチンにおいて、室内循環式や同時給排式のレンジフードはキッチンを構成する壁に直接固定され、室内に露出している。
一方、近年ではキッチンとダイニング等の室とが連続した空間に配置され、室からキッチンを見渡すことができるように構成したキッチン構造が提供されている。
このようなキッチン構造では、室内循環式や同時給排式のレンジフードが露出しているので、外観上見映えがあまりよくないという問題がある。
そこで、室内循環式や同時給排式のレンジフードを覆って隠すことが考えられるが、この場合でも、覆い等がキッチンに露出して馴染まないことがあるばかりか、調理時に発生する汚染空気をレンジフードに吸引させ、さらに、清浄化した空気や外部の空気を覆いから室内に戻すようにして、レンジフードを隠すことは困難であった。
【０００６】
本発明は上記事情に鑑みてなされたもので、室内循環式や同時給排式のレンジフードを見映えよく覆って隠すことができるとともに、調理時に発生する汚染空気をレンジフードに吸引させ、清浄化した空気または外部の給気を室に給気できるキッチン構造を提供することを課題としている。
【課題を解決するための手段】
【０００７】
上記課題を解決するために、請求項１に記載の発明は、例えば図１〜図５に示すように、室内循環式または同時給排式のレンジフード１５を備えたキッチン構造において、
調理台１の上方に、前面開口部１６ａと下面開口部１６ｂを有する箱状の吊戸棚本体１６と、この吊戸棚本体１６の前記前面開口部１６ａを開閉する扉１８とを有する吊戸棚２が設けられ、
前記吊戸棚本体１６内に、前記室内循環式レンジフード１５がその下面に設けられた吸気口１５ａを前記下面開口部１６ｂに向け、かつ、前面１５ｂを前記扉１８から内側に離間させて装填され、
前記吊戸棚本体１６の上面に、前記レンジフード１５の前面に設けられた排気口１５ｃから排気される清浄化された空気または外部の空気を室内に給気する給気口２１が設けられていることを特徴とする。
【０００８】
請求項１に記載の発明によれば、調理台１の上方に設けられた吊戸棚２の吊戸棚本体１６内に室内循環式または同時給排式のレンジフード１５が装填され、吊戸棚本体１６の前面開口部１６ａを扉１８で閉じることができるので、レンジフード１５を見映えよく覆って隠すことができる。
また、吊戸棚本体１６内に、レンジフード１５がその前面１５ｂを前記扉１８から内側に離間させて装填され、吊戸棚本体１６の上面に、レンジフード１５の排気口１５ｃから排気される清浄化された空気または外部の空気を室内に給気する給気口２１が設けられているので、レンジフード１５の排気口１５ｃから排気される清浄化された空気または外部の空気は扉１８にガイドされて上昇し、上面の給気口２１から室内に給気されるので、調理時に発生する汚染空気をレンジフード１５に吸引させ、清浄化した空気または外部の空気をキッチンやダイニング等の室に給気できる。
【０００９】
請求項２に記載の発明は、請求項１に記載のキッチン構造において、
前記給気口２１は前記吊戸棚本体１６の天板１６ｃの前縁部を、前記扉１８の上端縁部より後退させることによって形成されていることを特徴とする。
【００１０】
請求項２に記載の発明によれば、吊戸棚本体１６の上面に設けられた給気口２１は、吊戸棚本体１６の天板１６ｃの前縁部と扉１８の上端縁部との間の隙間によって形成されるので、吊戸棚本体１６の幅方向に延在する細長い給気口２１となり、このため、レンジフード１５の排気口１５ｃから排気されて、扉１８にガイドされて上昇する清浄化された空気または外部の空気を効率的に室に給気できる。
【００１１】
請求項３に記載の発明は、請求項１または２に記載のキッチン構造において、
前記レンジフード１５の前面に設けられた排気口１５ｃは、清浄化された空気または外部の空気を上方または斜め上方に向けて吹出させる吹出手段２０を備えていることを特徴とする。
【００１２】
請求項３に記載の発明によれば、排気口１５ｃから給気される清浄化された空気または外部の空気は吹出手段２０によって上方または斜め上方に向けて吹出されて、扉１８にガイドされてスムーズに上昇するので、当該清浄化された空気または外部の空気を上面の給気口２１からスムーズに室に給気することができる。
【００１３】
請求項４に記載の発明は、請求項１〜３のいずれか一項に記載のキッチン構造において、
前記レンジフード１５の下面は、閉じた状態の前記扉１８の下端より上方に位置していることを特徴とする。
【００１４】
請求項４に記載の発明によれば、レンジフード１５の下面が扉１８によって隠されて、正面側からは見えないので、外観の見映えがさらによくなる。
【００１５】
請求項５に記載の発明は、請求項１〜４のいずれか一項に記載のキッチン構造において、
前記吊戸棚２は、前記レンジフード１５が装填された吊戸棚本体１６と、他の一つ以上の吊戸棚本体１７とを左右に並設した構成となっており、
前記レンジフード１５が装填された吊戸棚本体１６の前面開口部１６ａを開閉する扉１８と、前記他の一つ以上の吊戸棚本体１７の前面開口部１７ａを開閉する扉１８ａとは、閉じた状態において面一となっていることを特徴とする。
【００１６】
請求項５に記載の発明によれば、全ての吊戸棚本体１６，１７の扉１８，１８ａが閉じた状態で面一となっているので、これら扉１８，１８ａの表面によって、調理台１の上方に横長の鉛直面が現れ、整然とした感じのキッチン構造となる。
【発明の効果】
【００１７】
本発明によれば、吊戸棚本体内に室内循環式または同時給排式のレンジフードが装填され、吊戸棚本体の前面開口部を扉で閉じることができるので、レンジフードを見映えよく覆って隠すことができる。
また、レンジフードの排気口から排気される清浄化された空気または外部の空気は扉にガイドされて上昇し、上面の給気口から室内給気されるので、調理時に発生する汚染空気をレンジフードに吸引させ、清浄化した空気または外部の空気をキッチンやダイニング等の室に給気できる。
【図面の簡単な説明】
【００１８】
【図１】本発明のキッチン構造の一例を示すもので、当該キッチン構造を示す斜視図である。
【図２】同、キッチン構造の側断面図である。
【図３】同、室内循環式レンジフードが装填された吊戸棚本体の側断面図である。
【図４】同、他の吊戸棚本体の側断面図である。
【図５】同、吊戸棚の要部の斜視図である。
【発明を実施するための形態】
【００１９】
以下図面を参照して本発明に係るキッチン構造の実施の形態について説明する。
図１は実施の形態のキッチン構造を示す斜視図、図２は側断面図、図３は室内循環式レンジフードが装填された吊戸棚本体の側断面図、図４は他の吊戸棚本体の側断面図、図５は吊戸棚の要部の斜視図である。
【００２０】
本実施の形態のキッチン構造は、調理時に発生する汚染空気を吸引捕獲し、当該汚染空気を清浄化した後、室内に戻す室内循環式のレンジフードを備えたキッチン構造である。
このキッチン構造は、図１および図２に示すように、調理台１とこの調理台１の上方に設けられた吊戸棚２と、調理台１の側方に設けられた収納家具３を備えている。
調理台１は、左側に設けられたシンク４と右側に設けられたＩＨクッキングヒータ５（電磁誘導加熱調理器）とを有している。この調理台１の後ろ側には、背面板６が鉛直に設けられており、この背面板６はふかし壁７に固定されている。背面板６の前面にはシンク４の上方において、左右に延在するスリット８が形成されており、このスリット８に薄板状の蛇口９が左右に移動可能に挿入されている。前記ふかし壁７は、キッチンの壁１０の表面から所定距離だけ離間して配置されたものであり、このふかし壁７と壁１０との間はパイプスペース１１となっている。このパイプスペース１１に図示しない水道水供給管が設けられており、この水道水供給管に前記蛇口９が接続されている。
【００２１】
調理台１の下方には、移動式の収納ワゴン１２が複数並列されて設けられており、各収納ワゴン１２の下面の四隅部には、それぞれキャスタ１２ａが取り付けられている。なお、この収納ワゴン１２は、前面および背面は同一の平板で構成されているが、内部はどのように構成してもよい。例えば、図２に示すように、側板を有さず、かつ、複数の棚１２ｂを設けてもよいし、側板を有し、上面に開口した箱状に形成してもよい。このような収納ワゴン１２は調理台１の下方に挿入された状態で、それらの前面と調理台１の前面とがほぼ面一となっている。
【００２２】
前記吊戸棚２は、キッチンの天井１３との間に所定の隙間をもって、ふかし壁７に固定されており、室内循環式レンジフード１５が装填された吊戸棚本体１６と、他の３つの吊戸棚本体１７とを左右に並設した構造となっている。吊戸棚本体１６，１７はほぼ等しい形状、大きさの箱状のものであり、それらの前面は開口している。なお、隣接する吊戸棚本体１６，１７または吊戸棚本体１７，１７の側板は共通となっている。
吊戸棚本体１６の前面開口部１６ａは扉１８によって開閉されるようになっている。この扉１８は図２、図３および図５に示すように、上方に向けて回動することによって、前面開口部１６ａを開放し、上方位置から下方に向けて回動することによって、前面開口部１６ａを閉鎖するようになっている。吊戸棚本体１６の左右の側板の内面には、それぞれアーム１９が取り付けられており、このアーム１９の回動アーム１９ａが回動することによって扉１８が上下に回動して前面開口部１６ａを開閉するようになっている。
また、吊戸棚本体１６の下面は開口しており、この下面開口部１６ｂは前記調理台１のＩＨクッキングヒータ５の上方に位置している。
また、前記吊戸棚本体１６の左右の側板の表面は不燃処理が施されているか、あるいは側板自体が不燃材で形成されている。また、扉１８の裏面は耐熱処理されている。例えば扉１８の裏面に耐熱性を有するメラミン樹脂製の板が貼り付けられている。
【００２３】
前記吊戸棚本体１６内には、室内循環式のレンジフード１５がその下面に設けられた吸気口１５ａを前記下面開口部１６ｂに向け、かつ、前面１５ｂを扉１８から内側に離間させて装填されている。つまり、図３に示すように、室内循環式のレンジフード１５の左右の長さは、吊戸棚本体１６の内部の左右方向の深さより短くなっており、さらに、室内循環式のレンジフード１５の背面は吊戸棚本体１６の背板に当接されている。また、室内循環式のレンジフード１５の吸気口１５ａが設けられた下面は、閉じた状態の扉１８の下端より上方に位置している。
【００２４】
室内循環式のレンジフード１５は、調理時に発生する汚染空気を吸引捕獲し、当該汚染空気を清浄化した後、室内に戻すものであり、その内部には、調理中に発生する汚染空気から汚染物質を除去するグリスフィルタ、煙除去フィルタ、脱臭フィルタ、除湿フィルタ等の各種フィルタが設けられている。そして、これらフィルタを通過して清浄化された空気は循環風路を通って、室内循環式のレンジフード１５の前面に設けられた排気口１５ｃから吊戸棚本体１６内に排気されるようになっている。
この排気口１５ｃは、清浄化された空気を上方または斜め上方に向けて吹出させる吹出手段２０を備えている。この吹出手段２０は、例えば排気口１５ｃに向けて斜め上方に傾けて配置された上下複数段のルーバによって構成され、これらルーバによって清浄化された空気は斜め上方に風向が調整されて吹出すようになっている。
【００２５】
また、吊戸棚本体１６の上面には、前記排気口１５ｃから排気される清浄化された空気を室内に給気する給気口２１が設けられている。この給気口２１は、吊戸棚本体１６の天板１６ｃの前縁部を、扉１８の上端縁部より後退させることによって形成されている。このようにして形成された給気口２１は、図１に示すように、天板１６ｃの前端部において吊戸棚本体１６の幅方向に延在する長方形状の開口となっている。
【００２６】
前記吊戸棚本体１７は、図４に示すように、前記吊戸棚本体１６と外形は等しくなっているが、当該吊戸棚本体１６と異なる点は、下面に底板１７ｂが設けられ、内部に底板１７ｃが設けられ、室内循環式レンジフード１５が装填されていない点、左右の側板の表面が不燃処理されていない点、扉１８ａの裏面が耐熱処理されていない点である。
吊戸棚本体１７の前面開口部１７ａは、前記扉１８と等しい大きさ、形状の扉１８ａによって開閉されるようになっている。この扉１８ａは扉１８と同様に、上方に向けて回動することによって、前面開口部１７ａを開放し、上方位置から下方に向けて回動することによって、前面開口部１７ａを閉鎖するようになっている。吊戸棚本体１７の左右の側板には、吊戸棚本体１６と同様に、それぞれアーム１９が取り付けられており、このアーム１９の回動アーム１９ａが回動することによって扉１８ａが上下に回動して前面開口部１７ａを開閉するようになっている。
そして、前記吊戸棚本体１６の前面開口部１６ａを開閉する扉１８と、他の３つの吊戸棚本体１７の前面開口部１７ａを開閉する扉１８ａとは、閉じた状態において面一となっている。
なお、図１に示すように、調理台１の側方には袖壁２３が設けられており、この袖壁２３の前端面は扉１８，１８ａより前方に位置し、かつ、収納ワゴン１２の前面とほぼ面一になっている。
【００２７】
前記収納家具３は縦長のものであり、その前面開口部は扉３ａによって開閉されるようになっている。扉３ａは上下方向に延在する軸回りに回動して前面開口部を開閉するものであり、扉３ａと、前記扉１８，１８ａとは閉じた状態において面一となっている。なお、収納家具３に代えて冷蔵庫を設置してもよい。
【００２８】
上記構成のキッチン構造では、調理台１のＩＨクッキングヒータ５で加熱された鍋やフライパン等から発生した汚染された空気Ｋ１は、図３に示すように、吊戸棚本体１６内に装填された室内循環式のレンジフード１５の吸気口１５ａに吸い込まれ、各種フィルタを通過することによって清浄化され、この清浄化された空気Ｋ２が循環風路を通って、室内循環式レンジフード１５の前面に設けられた排気口１５ｃから吊戸棚本体１６内に排気される。
排気口１５ｃから排気される清浄化された空気Ｋ２は吹出手段２０によって斜め上方に向けて吹出されたうえで、扉１８にガイドされて上昇し、上面の給気口２１から給気される。そして、この給気された空気Ｋ２が吊戸棚本体１６の上面と天井１３との間の隙間からキッチンやダイニング等の室に戻される。
なお、レンジフード１５を作動させる場合は、扉１８は閉じた状態で使用するが、レンジフード１５のメンテナンスや清掃、小物の収納の際は扉１８を開く。
【００２９】
本実施の形態によれば、調理台１の上方に設けられた吊戸棚２の吊戸棚本体内１６に室内循環式のレンジフード１５が装填され、吊戸棚本体１６の前面開口部１６ａを扉１８で閉じることができるので、室内循環式のレンジフード１５を見映えよく覆って隠すことができる。
また、吊戸棚本体１６内に、室内循環式のレンジフード１５がその前面１５ｂを前記扉１８から内側に離間させて装填され、吊戸棚本体１６の上面に、室内循環式のレンジフード１５の排気口１５ｃから排気される清浄化された空気Ｋ２を室内に給気するための給気口２１が設けられているので、室内循環式のレンジフード１５の排気口１５ｃから排気される清浄化された空気は扉１８にガイドされて上昇し、上面の給気口２１から室に給気されるので、調理時に発生する汚染空気を室内循環式レンジフード１５に吸引させ、清浄化した空気Ｋ２を室に戻すことができる。
【００３０】
また、吊戸棚本体１６の上面に設けられた給気口２１は、吊戸棚本体１６の天板１６ｃの前縁部と扉１８の上端縁部との間の隙間によって形成されるので、吊戸棚本体１６の幅方向に延在する細長い給気口２１となり、このため、室内循環式のレンジフード１５の排気口１５ｃから排気されて、扉１８にガイドされて上昇する清浄化された空気を効率的に給気できる。
さらに、前記排気口１５ｃは、清浄化された空気を上方または斜め上方に向けて吹出させる吹出手段２０を備えているので、排気口１５ｃから給気される清浄化された空気は吹出手段２０によって上方または斜め上方に向けて吹出されて、扉１８にガイドされてスムーズに上昇するので、当該清浄化された空気を上面の給気口２１からスムーズに室に給気することができる。
【００３１】
また、室内循環式レンジフード１５の下面は、閉じた状態の扉１８の下端より上方に位置しているので、室内循環式のレンジフード１５の吸気口１５ａが扉１８によって隠されて、正面側からは見えないので、外観の見映えがさらによくなる。
加えて、全ての吊戸棚本体１６，１７の扉１８，１８ａが閉じた状態で面一となっているので、これら扉１８，１８ａの表面によって、調理台１の上方に横長の鉛直面が現れ、整然とした感じのキッチン構造となる。
【００３２】
なお、本実施の形態では、吊戸棚本体１６の上面の天板１６ｃに、清浄化された空気を室内に給気する給気口２１を設けたが、天板１６ｃを設けずに、吊戸棚本体１６の上面を全面開口し、この開口を給気口としてもよい。
また、本実施の形態では、本発明のキッチン構造として、室内循環式のレンジフードを備えたものを例にとって説明したが、室内循環式のレンジフードに代えて同時給排式のレンジフードを備えたものでもよい。
【符号の説明】
【００３３】
１  調理台
２  吊戸棚
１５  レンジフード
１５ａ  吸気口
１５ｂ  前面
１５ｃ  排気口
１６  吊戸棚本体
１６ａ  前面開口部
１６ｂ  下面開口部
１６ｃ  天板
１７  他の吊戸棚本体
１７ａ  前面開口部
１８，１８ａ  扉
２０  吹出手段
２１  給気口
【図１】
0005646428.tif 000002
【図２】
0005646428.tif 000003
【図３】
0005646428.tif 000004
【図４】
0005646428.tif 000005
【図５】
0005646428.tif 000006